(57)【特許請求の範囲】
【請求項１】
電子機器の底面に下方に向けて突出した状態で進退可能に取り付けられたゴム脚と、
前記ゴム脚を通る鉛直線上に配置され、前記電子機器を机の上に載置した場合に前記電子機器の自重により縮む第１の弾性体と、
前記ゴム脚を通る鉛直線上に配置され、前記ゴム脚の衝突により縮む第２の弾性体と
を備え、
前記ゴム脚は、前記第１の弾性体および前記第２の弾性体が収納される凹部と、該凹部の側部に設けられたフランジとを有し、前記電子機器の底面に形成されたスリットに対して前記フランジが挿通されることで該底面に取り付けられることを特徴とするゴム脚の支持構造。
【請求項２】
前記第１の弾性体は、スポンジであることを特徴とする請求項１に記載のゴム脚の支持構造。
【請求項３】
前記第２の弾性体は、Ｚ状に折り曲げた板バネであること特徴とする請求項１または２に記載のゴム脚の支持構造。
【請求項４】
前記電子機器の底面に、前記ゴム脚のまわりを取り囲む突出縁部を設けたことを特徴とする請求項１〜３のいずれか一つに記載のゴム脚の支持構造。
【請求項５】
前記ゴム脚が最も突出した状態で前記フランジを係止する係止部を前記突出縁部の内側に設けたことを特徴とする請求項４に記載のゴム脚の支持構造。
【請求項６】
前記第２の弾性体を前記ゴム脚と前記第１の弾性体との間に配置したことを特徴とする請求項１〜５のいずれか一つに記載のゴム脚の支持構造。
【請求項７】
前記第２の弾性体を前記電子機器と前記第１の弾性体との間に配置したことを特徴とする請求項１〜５のいずれか一つに記載のゴム脚の支持構造。
【発明の詳細な説明】
【技術分野】
【０００１】
本発明は、電子機器のゴム脚を支持するゴム脚の支持構造に関する。
【背景技術】
【０００２】
ノート型パソコンなどの電子機器の底面には、複数のゴム脚が貼着してある。ゴム脚は、電子機器が机を傷つけたり、電子機器がガタついたりすることを防止するためのものであるが、電子機器を机の上から取り上げ損なったときの衝撃を緩和することも求められている（たとえば、特許文献１参照）。
【先行技術文献】
【特許文献】
【０００３】
【特許文献１】特開２００３−１６７６４４号公報
【発明の概要】
【発明が解決しようとする課題】
【０００４】
しかしながら、電子機器の底面にゴム脚を貼着しただけでは、電子機器を机の上から取り上げ損なったときの衝撃を緩和するのに十分でなく、電子機器を机の上から取り上げ損なったときに電子機器が故障する場合がある。
【０００５】
本発明は、上記に鑑みてなされたものであって、より大きな衝撃を緩和し、電子機器を机の上から取り上げ損なったときでも電子機器が故障しにくいゴム脚の支持構造を提供することを目的とする。
【課題を解決するための手段】
【０００６】
上述した課題を解決し、目的を達成するために、本発明は、電子機器の底面に下方に向けて突出した状態で進退可能に取り付けられたゴム脚と、前記ゴム脚を通る鉛直線上に配置され、前記電子機器を机の上に載置した場合に前記電子機器の自重により縮む第１の弾性体と、前記ゴム脚を通る鉛直線上に配置され、前記ゴム脚の衝突により縮む第２の弾性体とを備え、前記ゴム脚は、前記第１の弾性体および前記第２の弾性体が収納される凹部と、該凹部の側部に設けられたフランジとを有し、前記電子機器の底面に形成されたスリットに対して前記フランジが挿通されることで該底面に取り付けられることを特徴とする。
【０００７】
また、本発明は、上記発明において、前記第１の弾性体は、スポンジであることを特徴とする。
【０００８】
また、本発明は、上記発明において、前記第２の弾性体は、Ｚ状に折り曲げた板バネであること特徴とする。
【０００９】
また、本発明は、上記発明において、前記電子機器の底面に、前記ゴム脚のまわりを取り囲む突出縁部を設けたことを特徴とする。
【００１０】
また、本発明は、上記発明において、前記ゴム脚が最も突出した状態で前記フランジを係止する係止部を前記突出縁部の内側に設けたことを特徴とする。
【００１１】
また、本発明は、上記発明において、前記第２の弾性体を前記ゴム脚と前記第１の弾性体との間に配置したことを特徴とする。
【００１２】
また、本発明は、上記発明において、前記第２の弾性体を前記電子機器と前記第１の弾性体との間に配置したことを特徴とする。
【発明の効果】
【００１３】
本発明にかかるゴム脚の支持構造は、電子機器の底面に下方に向けて突出した状態で進退可能に取り付けられたゴム脚と、ゴム脚を通る鉛直線上に配置され、電子機器を机の上に載置した場合に電子機器の自重により縮む第１の弾性体と、ゴム脚を通る鉛直線上に配置され、ゴム脚の衝突により縮む第２の弾性体とを備えたので、電子機器を机の上に載置した場合には電子機器の自重により第１の弾性体が縮むことにより、電子機器のガタつきを防止し、電子機器を机の上から取り上げ損なった場合には、ゴム脚の衝突により第２の弾性体が縮むことにより、電子機器の衝撃を緩和する。これにより、電子機器を机の上から取り上げ損なったときでも電子機器が故障しにくくなる。
【図面の簡単な説明】
【００１４】
【図１】図１は、本発明の実施の形態であるゴム脚の支持構造を採用したノート型パソコンを示す斜視図である。
【図２】図２は、図１に示したノート型パソコンの底面を示す斜視図である。
【図３】図３は、左奥または右奥に取り付けたゴム脚をノート型パソコンの下方から見た概念斜視図である。
【図４】図４は、左奥または右奥に取り付けたゴム脚をノート型パソコンの内部から見た概念斜視図である。
【図５】図５は、図３および図４に示したゴム脚の支持構造を示す分解斜視図である。
【図６−１】図６−１は、図４に示したＶＩ−ＶＩ断面図であって、ゴム脚が机に接した状態を示す図である。
【図６−２】図６−２は、図４に示したＶＩ−ＶＩ断面図であって、ゴム脚が沈んだ状態を示す図である。
【図６−３】図６−３は、図４に示したＶＩ−ＶＩ断面図であって、ゴム脚が沈み切った状態を示す図である。
【図７−１】図７−１は、図４に示したＶＩＩ−ＶＩＩ断面図であって、ゴム脚が机に接した状態を示す図である。
【図７−２】図７−２は、図４に示したＶＩＩ−ＶＩＩ断面図であって、ゴム脚が沈んだ状態を示す図である。
【図７−３】図７−３は、図４に示したＶＩＩ−ＶＩＩ断面図であって、ゴム脚が沈み切った状態を示す図である。
【図８】図８は、本発明の実施の形態であるゴム脚の支持構造を採用したノート型パソコンの傾き落下試験の結果を示す図であって、従来のゴム脚を採用したノート型パソコンの傾き落下試験の結果と比較したものである。
【発明を実施するための形態】
【００１５】
以下に、本発明にかかるゴム脚の支持構造の実施の形態を図面に基づいて詳細に説明する。ここでは、ノート型パソコンのゴム脚の支持構造を例に説明するが、この実施の形態によりこの発明が限定されるものではない。
【００１６】
図１は、本発明の実施の形態であるゴム脚の支持構造を採用したノート型パソコンを示す斜視図である。図１に示すように、ノート型パソコン１は、パソコン本体２とパソコン本体２に対して開閉可能に支持された蓋体３とを備えている。パソコン本体２の上面には、各種情報を入力するための操作キー２１、タッチパッド２２などの入力装置が設けてある。これら入力装置は、パソコン本体２に対して蓋体３を閉じた場合に蓋体３によって覆われる。また、蓋体３の前面には、各種情報を表示出力するための液晶ディスプレイ３１が設けてある。液晶ディスプレイ３１は、パソコン本体２に対して蓋体３を閉じた場合にパソコン本体２によって覆われる。
【００１７】
図２は、図１に示したノート型パソコンの底面を示す斜視図である。図２に示すように、ノート型パソコン（パソコン本体２）１の底面には、ゴム脚４，５が取り付けてある。ゴム脚４，５は、ノート型パソコン１が机を傷つけたり、ノート型パソコン１がガタついたりすることを防止するとともに、ノート型パソコン１を机の上から取り上げ損なったときの衝撃を緩和するためのものである。
【００１８】
本発明の実施の形態であるノート型パソコン１は、左奥と右奥、左手前と右手前にそれぞれゴム脚４，５が取り付けてある。左奥と右奥に取り付けたゴム脚４は、本発明の実施の形態であるゴム脚の支持構造を採用したものであり、左手前と右手前に取り付けたゴム脚５は、従前のゴム脚と同様、ノート型パソコン（パソコン本体２）１の底面に貼着してある。
【００１９】
図３は、左奥または右奥に取り付けたゴム脚をノート型パソコンの下方から見た概念斜視図であり、図４は、左奥または右奥に取り付けたゴム脚をノート型パソコンの内部から見た概念斜視図である。また、図５は、図３および図４に示したゴム脚の支持構造を示す分解斜視図である。また、図６は、図４に示したＶＩ−ＶＩ断面図であって、図７は、図４に示したＶＩＩ−ＶＩＩ断面図である。
【００２０】
図３に示すように、左奥と右奥とに取り付けたゴム脚４は、ノート型パソコン（パソコン本体２）の底面に下方に向けて突出した状態で進退可能に取り付けてある。これにより、ゴム脚４がどのような状態にあっても、ゴム脚４は、ノート型パソコン（パソコン本体２）１の底面から下方に突出する（図６および図７参照）。
【００２１】
ゴム脚４は、ノート型パソコン１が机を傷つけたり、ノート型パソコン１が机から滑り落ちたりしないように、所定値以下の硬度と所定値以上の摩擦係数を有しており、その外観は、図２に示すように、ノート型パソコン１の幅方向に長く、奥行き方向に短い、丸みを帯びた直方体状に形成してある。また、ゴム脚４は、図６および図７に示すように、上面が開口した凹部４１を有している。凹部４１は、本発明の実施の形態であるゴム脚の支持構造を構成するスポンジ６と板バネ７とを収容するためのもので、直方体状に形成してある。
【００２２】
また、ゴム脚４の上端、ノート型パソコン１の幅方向となる二辺には、フランジ４２が設けてある。フランジ４２は、後述する係止部に係止するためのもので、ゴム脚４の外側に一定の幅で突出するように設けてある。
【００２３】
図４に示すように、ノート型パソコン（パソコン本体２）１の底面には、一対のスリット２３が設けてある。スリット２３は、ゴム脚４に設けたフランジ４２が挿通するためのもので、ノート型パソコン１の幅方向に沿って設けてある。
【００２４】
また、図３および図５に示すように、ノート型パソコン（パソコン本体２）１の底面には、ゴム脚４のまわりを取り囲む突出縁部２４が設けてある。突出縁部２４は、図５に示すように、矩形の枠状に突出しており、ゴム脚４の突出高さを確保するとともに、ゴム脚４をサポートする。
【００２５】
また、図７に示すように、突出縁部２４の内側には、係止部２４１が設けてある。係止部２４１は、ゴム脚４が最も突出した状態でゴム脚４に設けたフランジ４２を係止するもので、スリット２３と平行に設けてある。これにより、ノート型パソコン（パソコン本体２）１の底面からゴム脚４が脱落することはない。
【００２６】
図５〜図７に示すように、ゴム脚４の凹部４１には、スポンジ６と板バネ７とが収納してある。スポンジ６と板バネ７とは、ノート型パソコン１のガタつきを防止するとともに、ノート型パソコン１を取り上げ損なった場合に衝撃を緩和するためのもので、ゴム脚４を通る鉛直線上に配置してある。具体的には、板バネ７にスポンジ６を貼り、スポンジ６が上、板バネ７が下となるように、凹部４１に収納してある。これにより、本実施の形態であるゴム脚の支持構造は、ゴム脚４とスポンジ６との間に板バネ７を配置するが、これに限られるものではなく、板バネ７にスポンジ６を貼り、スポンジ６が下、板バネ７が上となるように、凹部４１に収納し、ノート型パソコン１とスポンジ６との間に板バネ７を配置してもよい。
【００２７】
スポンジ６は、主にノート型パソコン１のガタつきを防止するためのもので、図６−２および図７−２に示すように、ノート型パソコン１を机の上に載置した場合にノート型パソコン１の自重により１ｍｍ程度縮む弾性係数（ばね定数）を有している。たとえば、ノート型パソコン１の重量が１ｋｇである場合には、一つのゴム脚４が１／４ｋｇ（２５０ｇ）を負担するので、２５０ｇで１ｍｍ程度縮むスポンジを用いる。
【００２８】
板バネ７は、主にノート型パソコン１を机の上から取り上げ損なった場合に衝撃を緩和するためのもので、図６−３および図７−３に示すように、ゴム脚４の衝突により大きく縮むばね定数を有している。本実施の形態であるゴム脚の支持構造に用いる板バネ７は、板状体をＺ状に折り曲げたものを用いる。これにより、板バネ７は、ばね定数が大きく、かつ、大きな縮み代を有することになる。
【００２９】
図８は、本発明の実施の形態であるゴム脚の支持構造を採用したノート型パソコンの傾き落下試験の結果を示す図であって、従来のゴム脚を採用したノート型パソコンの傾き落下試験の結果と比較したものである。
【００３０】
図８に示す落下試験は、ノート型パソコン１を机の上から取り上げ損なった場合を想定したもので、ノート型パソコン１の一端を机に着けた状態でノート型パソコン１を傾けて落下させる。ここで、図８に示す落下高さは、傾けたノート型パソコン１の他端の高さであり、落下高さが１００ｍｍの場合、１５０ｍｍの場合、２００ｍｍの場合について試験した。
【００３１】
図８に示す落下試験によれば、落下高さが１００ｍｍの場合に衝撃が３０％低減され、落下高さが１５０ｍｍの場合に衝撃が４０％低減された。また、落下高さが２００ｍｍの場合に１８％低減された。
【００３２】
上述した実施の形態であるゴム脚の支持構造は、ノート型パソコン（パソコン本体２）１の底面に下方に向けて突出した状態で進退可能に取り付けられたゴム脚４と、ゴム脚４を通る鉛直線上に配置され、ノート型パソコン１を机の上に載置した場合にノート型パソコン１の自重により縮むスポンジ６と、ゴム脚４を通る鉛直線上に配置され、ゴム脚４の衝突により縮む板バネ７とを備えたので、ノート型パソコン１を机の上に載置した場合にはノート型パソコン１の自重によりスポンジ６が縮むことにより、ノート型パソコン１のガタつきを防止し、ノート型パソコン１を机の上から取り上げ損なった場合には、ゴム脚４の衝突により板バネ７が縮むことにより、ノート型パソコン１の衝撃を緩和する。これにより、ノート型パソコン１を机の上から取り上げ損なったときでもノート型パソコン１が故障しにくくなる。
【００３３】
また、ノート型パソコン１の底面に、ゴム脚４のまわりを取り囲む突出縁部２４を設けたので、ゴム脚４の突出高さを確保するとともに、ゴム脚４をサポートする。これにより、ノート型パソコン１を側方に滑らせても、ゴム脚４がもげることはない。
【００３４】
また、スポンジ６や板バネ７をゴム脚４の凹部４１に収納するので、スポンジ６や板バネ７がノート型パソコン１の外観に現れることがなく、見栄えも優れたものになる。
【符号の説明】
【００３５】
１    ノート型パソコン（電子機器）
２    パソコン本体
２１    操作キー
２２    タッチパッド
２３    スリット
２４    突出縁部
２４１    係止部
３    蓋体
３１    液晶ディスプレイ
４    ゴム脚
４１    凹部
４２    フランジ
５    ゴム脚
６    スポンジ（第１の弾性体）
７    板バネ（第２の弾性体）
【図１】
0005627034.tif 000002
【図２】
0005627034.tif 000003
【図３】
0005627034.tif 000004
【図４】
0005627034.tif 000005
【図５】
0005627034.tif 000006
【図６−１】
0005627034.tif 000007
【図６−２】
0005627034.tif 000008
【図６−３】
0005627034.tif 000009
【図７−１】
0005627034.tif 000010
【図７−２】
0005627034.tif 000011
【図７−３】
0005627034.tif 000012
【図８】
0005627034.tif 000013